(57)【要約】【課題】  本発明は結婚式等における会場入口に設置する案内表示装置を提供する。【解決手段】  案内表示装置は、上台１０と下台２０で構成してあり、上台１０には表示器１５が備えてあると共にその表示器１５の表示制御をする制御装置を備えている。そして、下基台２５を照射可能な照明具２８が上支持台２１に取り付けてある。【選択図】  図１
2005221650.tif 000002
【特許請求の範囲】
【請求項１】
上台と下台で構成の案内表示装置であって、
上台に表示器を備えると共に、その表示器の表示制御をする制御装置を有する案内表示装置であって、
下基台を照射可能な照明具を上支持台に取り付けてなることを特徴とする案内表示装置。
【請求項２】
前記表示器に表示する画像を制御装置に入力し、
制御装置は、前記画像を表示器に表示することを特徴とする請求項１の案内表示装置。
【請求項３】
前記表示器に表示する画像はメモリカード或は通信回線を介して制御装置に入力することを特徴とする請求項１又は請求項２のの案内表示装置。
【発明の詳細な説明】
【技術分野】
【０００１】
本発明は案内表示装置に関する。
【背景技術】
【０００２】
従来、結婚式や葬儀、講演会等において、会場の入口には、「＊＊家」、「＊＊葬儀」等、手書きした案内表示がある。
【発明の開示】
【発明が解決しようとする課題】
【０００３】
しかし、前記従来のような案内表示は、専門の書き手が必要であるし、表示形式が形式化していて、アピール性に欠ける。
そこで、本発明は、簡便に案内表示ができ、且つ、必要な案内目的も簡便に表示可能な案内表示装置を提供するものである。
【課題を解決するための手段】
【０００４】
請求項１の案内表示装置は、上台と下台で構成してあり、上台には表示器が備えてあると共にその表示器の表示制御をする制御装置を有している。
そして、下基台を照射可能な照明具が上支持台に取り付けてあるので、下基台の上に載せる生花等を照明することによって、従来にない、案内表示装置となる。
又、請求項２の案内表示装置は、表示器に表示する画像を制御装置に入力することによって、その画像を表示器に表示するので、従来にない案内表示装置となる。
又、請求項３の案内表示装置は、表示器に表示する画像はメモリカード或は通信回線を介して制御装置に入力するものであり、容易にデータ入力が可能である。
【発明の効果】
【０００５】
請求項１の案内表示装置は、下基台の上に載せる生花等を照明することによって、従来にない案内表示装置となる。
又、請求項２の案内表示装置は、表示器に表示する画像を制御装置に入力することによって、その画像を表示器に表示するので、従来にない案内表示装置となる。
又、請求項３の案内表示装置は、表示器に表示する画像はメモリカード或は通信回線を介して制御装置に入力するものであり、容易にデータ入力が可能である。
【発明を実施するための最良の形態】
【０００６】
（第１の実施の形態）
本発明の案内表示装置を葬儀会場の案内表示装置として、正面を示す図１（Ａ）、図１（Ａ）の側面を示す図１（Ｂ）を参照して説明する。
【０００７】
案内表示装置は、適宜の高さと幅及び奥行きを有する上台１０と下台２０で構成してある。そして、上台１０は枠体１１と支持体１２で構成してあり、この支持体１２は後述する下台２０の上支持台２１の上に固定してある。また、四角状の枠体１１は前記支持体１２を介して、回動軸１２ａで昇降回動可能に取り付けてあると共に、後述の表示器１５を縦向きと横向きに変更可能になっている。
【０００８】
そして、前記四角状の枠体１１の中央には縦向きに、液晶等の表示器１５が取り付けてあり、その周囲は額縁状に表装してある。また、前記支持体１２の裏面には後述の制御装置３０が取り付けてあり、前記表示器１５に所定の画像を表示する。
【０００９】
前記下台２０は、移動可能なローラ２３を付設の下基台２５と、その下基台２５の上の両縁に固定されているアーチ状の側部支持体２６と、側部支持体２６と側部支持体２６の頂部を連結する上支持台２１とで構成してある。尚、側部支持体２６はアーチ状である必要がなく、直線で形成してもよい。
また、前記上支持台２１の下部には、下基台２５に載せる生花等（図示略）を照らす照明具（蛍光灯、ＬＥＤ等）２８が、下向きに付設してある。又、照明具２８の前後には、装飾板３５が付設してあり、直接照明具２８が見えない構造にしてある。
【００１０】
尚、この照明具２８の色、数、取付け位置は、生花等の種類によって適宜選択できるように構成してある。そして、この照明具２８の個数と移動可能な構成として、例えば、照明具２８を、所謂、マジックテープ（登録商標）で固定する方式がある。また、図１（Ｃ）に示すように、上支持台２１の下部に、中央に隙間を形成のＬ字状の支持体２９を取付ける一方、照明具２８にはＴ字状のスライド体２７で吊り下げる構造によって、このスライド体２７を移動させることによって、下基台２５の上に載せる生花等を、適宜の位置で照らすことができる。
【００１１】
次に、前記制御装置について図２を参照して説明する。この制御装置はよく知られているパーソナルコンピュータであり、ＣＰＵ、メモリ（ＲＡＭ、ＲＯＭ）、記憶媒体（ハードディスク）を備えている。そして、前記ＲＯＭ又はハードディスクに記憶のソフトウエアを介して、後述する表示器に表示する。
【００１２】
又、この制御装置には、外部データを入力可能なメモリカードスロットを備えていると共に、通信回線を介してデータの送受信可能な通信スロットを備えている。
【００１３】
この案内表示装置を使用するには、例えば、結婚式を想定すると、新郎新婦のスナップ写真等の画像を記憶のメモリカードをメモリカードスロットに装着する。そして、予め結婚式に対応するソフトウエアが起動して、「＊＊家の結婚披露宴」等の文字を表示した後に、予め記憶された画像と共に、或は単独で前記メモリカードに記憶の画像を、順次、表示器に表示する。
【００１４】
即ち、前記ソフトウエアは予めメモリカードに記憶の画像を如何に表示するかが決められているので、その手順に従って、メモリカードに記憶の画像を表示する。このように、案内表示装置（表示器）には、従来のように、単に、「＊＊家の結婚披露宴」等の文字だけでなく、メモリカードに記憶の画像も表示することができるので、招待者に対する待時間を有効に活用できる。
【００１５】
尚、前記表示器に表示の画像は、メモリカードに記憶の画像であるが、通信回線を介して表示可能に構成してもよい。例えば、メモリカードに記憶の画像を通信回線を介して、送信しておくことによって、メモリカードを会場にセットする必要がないし、メモリカードに入りきらない大きな画像データであっても、容易に対応することができる。
【００１６】
又、前記制御装置は前記照明具２８の制御も可能であり、照明具２８の色彩を適宜、選定制御可能である。
又、この案内表示装置は、単に、「＊＊家結婚披露宴」の文字及びメモリカードに記憶の画像を表示する他、式次第、新婚旅行の行き先等、種々の案内表示として、活用できる。
【００１７】
又、この案内表示装置は、前記結婚披露宴の他、葬儀や講演会等の案内表示装置としても使用可能であり、前記下基台２５に載せる生花等（図示略）と共に、その生花等を照らす照明具２８によって、より好ましい案内表示装置となる。
【００１８】
（第２の実施の形態）
次に、図３に示す案内表示装置について説明する。この案内表示装置の機能等は、前記第１の実施の形態の案内表示装置とほぼ同じであるので、概略説明する。
案内表示装置は、適宜の高さと幅及び奥行きを有する上台１００と下台１２０で構成してあり、上台１００は枠体１０１と支持体１０２で構成してあり、この支持体１０２は後述する上支持台１２１の上に固定してある。
また、四角状の枠体１０１は前記支持体１０２に、回動軸１０２ａで回転可能に取り付けてあると共に、後述の表示器１０５を縦向きと横向きに変更可能になっている。
【００１９】
又、前記上支持台１２１の上には、縫いぐるみ等、表示器１０５の表示に関連して、載置することができる。
そして、この上支持台１２１の下部には、直方体状の下箱体１３０があり、この下箱体１３０の周囲（裏面を除く）には飾り窓１３１が取り付けてある。又、この下箱体１３０は４本の足体１２２で支持され、この足体１２２の床接触部はカール状に形成してある。
【００２０】
尚、前記下箱体１３０の内部には、前記第１の実施の形態と同様な制御装置３０が取り付けてあり、前記表示器１０５に所定の画像を表示する。この制御装置３０は第１の実施の形態と同じ制御をするので説明を略す。
【図面の簡単な説明】
【００２１】
【図１】この図は第１の実施の形態の案内表示装置であり、（Ａ）は案内表示装置の正面図、（Ｂ）は案内表示装置の側面図、（Ｃ）は照明具を取り付ける部分断面図である。
【図２】制御装置のブロック図である。
【図３】この図は第２の実施の形態の案内表示装置であり、（Ａ）は案内表示装置の正面図、（Ｂ）は案内表示装置の側面図、（Ｃ）は裏面図である。
【符号の説明】
【００２２】
１０  上台
１１  枠体
１２  支持体
１５  表示器
２０  下台
２１  上支持台
２５  下基台
２８  照明具
３０  制御装置
【図１】
2005221650.tif 000003
【図２】
2005221650.tif 000004
【図３】
2005221650.tif 000005